(57)【要約】【課題】不正行為を防止し、かつ遊技盤の盤面や役物に汚れが付着することを防止する。【解決手段】遊技者が発射ハンドルを回動するとＣＰＵ３７は球送り装置３５を作動させる。球送り装置３５のパチンコ球１６は回収樋３６に送出される。回収樋３６に送出されたパチンコ球１６は島設備へ送られる。島設備ではパチンコ球１６が清掃されて再び供給ノズル２５から貯留タンクに供給される。また、球送り装置３５に供給されたパチンコ球１６が球検知センサ３８によって検知されると、ＣＰＵ３７は球検知センサ３８からの検知信号に応答して発射球供給装置３４を作動させる。発射球供給装置３４は球発射装置３３にパチンコ球を１個供給する。球発射装置３３は供給されたパチンコ球１６を遊技盤９の遊技領域に発射する。【選択図】図３
2007202970.tif 000002
【特許請求の範囲】
【請求項１】
遊技球を貯留する貯留タンクと、遊技者による球発射操作に応答して遊技盤の前方に形成された遊技領域に遊技球を１個ずつ発射する球発射装置とを有し、前記貯留タンクに貯留された遊技球が受け皿に払い出される弾球遊技機において、
前記受け皿で貯留された遊技球を回収する回収装置と、
回収された遊技球を検知する回収球検知手段と、
前記回収球検知手段で遊技球が検知されたことに応答して、前記貯留タンクの遊技球を前記球発射装置に供給する供給制御手段とを備えたことを特徴とする弾球遊技機。
【請求項２】
前記回収装置は、前記受け皿から回収された遊技球が送り込まれる回収樋と、前記球発射操作に応答して前記受け皿の遊技球を前記回収樋に１個ずつ送る球送り装置とを備え、
前記回収球検知手段は前記球送り装置に供給された遊技球を検知することを特徴とする請求項１記載の弾球遊技機。
【請求項３】
前記回収装置は、前記受け皿から回収された遊技球が送り込まれる回収樋と、前記球発射操作に応答して前記受け皿の遊技球を前記回収樋に１個ずつ送る球送り装置とを備え、
前記回収球検知手段は前記回収樋に送り出された遊技球を検知することを特徴とする請求項１又は２記載の弾球遊技機。
【発明の詳細な説明】
【技術分野】
【０００１】
本発明は、貯留タンクに貯留された遊技球が受け皿に払い出される弾球遊技機に関する。
【背景技術】
【０００２】
一般的に遊技場の島設備には複数台のパチンコ機が組み込まれており、島設備から各パチンコ機にパチンコ球が供給される。パチンコ機は貯留タンクを備えており、島設備からのパチンコ球は貯留タンクに供給される。貯留タンクのパチンコ球は遊技者へ貸与や賞球の払い出しなどの際に受け皿に払い出される。遊技者がハンドル操作を行うと受け皿のパチンコ球が遊技盤の前方に形成された遊技領域に打ち出される。打ち出されたパチンコ球は入賞口に入賞するかあるいはアウト口に入る。入賞口やアウト口に入ったパチンコ球は島設備で回収され、回収されたパチンコ球は再び各パチンコ機に供給される。
【０００３】
パチンコ球は遊技者の手に触れる機会があるため繰り返し使用すると汚れが付着しやすい。汚れが付着したパチンコ球を使用して遊技を行うと遊技盤の盤面や遊技盤に設けられた役物（入賞口や各種の可動物など）などに汚れが付着することがある。このことは、遊技者の遊技への意欲を減退させ、パチンコ機の稼働率が低下する要因ともなる。このため、例えば特許文献１や特許文献２では、効率良くまた確実にパチンコ球に付着した汚れを落とす方法が提案されている。
【特許文献１】特開２００４−８１５８４号公報
【特許文献２】特開２００５−２１８６３４号公報
【発明の開示】
【発明が解決しようとする課題】
【０００４】
ところで、パチンコ機で遊技を行う遊技者の中に、パチンコ球に例えば油などを塗布してパチンコ球の遊技釘での跳ね返りを抑えて入賞口に入賞しやすくするなどの不正な行為を行う者がいることが問題となっている。このことは、適正な方法で遊技を行う遊技者に不公平感を抱かせて遊技への興趣を失わせる要因となり、また、遊技盤の盤面や役物の汚れが適正に遊技を行った場合と比べて酷くなるという問題があった。さらには、適正に遊技を行った場合であっても手油などの汚れが盤面や役物に付着し易く、盤面の清掃などのメンテナンスに手間を要す問題もある。
【０００５】
本発明は、上記問題点を解決するためになされたものであり、不正行為を防止でき、かつ遊技盤の盤面や役物に汚れが付着することを防止できるようにした弾球遊技機を提供することを目的とする。
【課題を解決するための手段】
【０００６】
上記問題点を解決するにあたり、本発明の弾球遊技機は、遊技場の島設備から供給された遊技球を貯留する貯留タンクと遊技者による球発射操作に応答して遊技盤の前方に形成された遊技領域に遊技球を１個ずつ発射する球発射装置とを有し、前記貯留タンクに貯留された遊技球が受け皿に払い出される弾球遊技機において、前記受け皿で貯留された遊技球を回収する回収装置と、回収された遊技球を検知する回収球検知手段と、前記回収球検知手段で遊技球が検知されたことに応答して、前記貯留タンクの遊技球を前記球発射装置に供給する供給制御手段とを備えたものである。
【０００７】
なお、前記回収装置は、前記受け皿から回収された遊技球を島設備に送る回収樋と前記球発射操作に応答して前記受け皿の遊技球を前記回収樋に１個ずつ送る球送り装置とを備え、前記回収球検知手段は前記球送り装置に供給された遊技球を検知することが好ましい。
【０００８】
また、前記回収装置は、前記受け皿から回収された遊技球を島設備に送る回収樋と前記球発射操作に応答して前記受け皿の遊技球を前記回収樋に１個ずつ送る球送り装置とを備え、回収樋に送り出された遊技球を検知することが好ましい。
【発明の効果】
【０００９】
本発明の弾球遊技機は、受け皿から回収された遊技球を検知して、貯留タンクの遊技球を球発射装置に供給するので、遊技者が受け皿に供給した遊技球を使用しなくても遊技を実行することが可能になり、遊技球に油などを塗布する不正行為を防止できる。また、予め清掃された遊技球を遊技者が触れることなく球発射装置に供給することが可能になり、遊技盤の盤面や役物に汚れが付着することを防止できる。
【００１０】
また、受け皿から回収された遊技球を島設備に送る回収樋と球発射操作に応答して受け皿の遊技球を回収樋に１個ずつ送る球送り装置とを備え、球送り装置に供給された遊技球を検知して球発射装置に遊技球を供給するので、球送り装置の動作と球発射装置の動作との同期をとることが可能になり、球発射操作を行ったときに遊技球が発射されるタイミングが不自然になることを防止できる。
【００１１】
また、受け皿から回収された遊技球を島設備に送る回収樋と球発射操作に応答して受け皿の遊技球を回収樋に１個ずつ送る球送り装置とを備え、回収樋に送り出された遊技球を検知して球発射装置に遊技球を供給するので、異物の挿入によって遊技球の誤検知を行わせるには球送り装置を介して回収樋にまで異物を到達させる必要が生じる。これにより、異物の挿入によって遊技球の誤検知を行わせて球発射装置に遊技球を供給させる不正な行為を防止することが可能になり、遊技場の利益の損失を防止できる。
【発明を実施するための最良の形態】
【００１２】
図１に示すように、パチンコ機（弾球遊技機）１は本体基部２を備えており、本体基部２の前面には上扉３と下扉４とからなる前面扉５が開閉自在に取り付けられている。また、本体基部２の裏面側には貯留タンク６が設けられている。上扉３には、中央に開口７が形成されている。上扉３の裏面には開口７を覆うガラス扉８が上扉３に対して開閉自在に取り付けられている。上扉３の奥側には遊技盤９が設けられており、遊技盤９はガラス扉８を介して視認可能となっている。
【００１３】
遊技盤９の前面には図柄表示装置１０、始動入賞口（以下、「始動口」と称する）１１、通常入賞口（以下、「通常口」と称する）１２、アタッカ１３、アウト口１４が設けられている。なお詳しくは図示を省略するが遊技盤９の前面には遊技領域９ａが形成されている。遊技領域９ａには遊技釘や風車などが設けられている。下扉４は、払い出し口１５から払い出されたパチンコ球（遊技球）１６や図示しない球貸し機から貸与を受けたパチンコ球１６を貯留する受け皿１７及びパチンコ球１６を遊技領域９ａに打ち出すとともにその打ち出し強さを調節する発射ハンドル１８を備えている。受け皿１７の奥側には、受け皿１７に貯留されたパチンコ球を回収する球通路１９が形成されている。球通路１９には、その下流側に向けて徐々に下るように傾斜が付けられている。
【００１４】
発射ハンドル１８が回動されると、後述する球発射装置３３が作動されて遊技盤９の遊技領域９ａにパチンコ球が打ち出される。遊技領域９ａに打ち出されたパチンコ球１６は始動口１１、通常口１２、アウト口１４のいずれかに入る。アウト口１４に入ったパチンコ球はハズレと扱いとされパチンコ機１の背面側から排出される。始動口１１や通常口１２にパチンコ球が入賞すると規定個数の賞球の払い出しが行われる。また、始動口１１にパチンコ球が入賞すると当たり又はハズレを決定する当たり抽選が行われ、図柄表示装置１０が作動される。
【００１５】
図柄表示装置１０は例えば液晶パネルから構成される表示パネル２０を備えている。表示パネル２０では３個の図柄が並列に並べて表示されている。図柄は数字の「０」〜「９」を示す１０種類の図柄からなる。始動口１１にパチンコ球１６が入賞すると表示パネル２０ではこれらの図柄が変動表示され、変動表示された図柄が停止表示されたときの図柄の組み合わせによって当たり抽選の結果が当たり又はハズレのいずれであったかが表示される。同一の数字が３つ揃う図柄の組み合わせは当たりとなり、それ以外の組み合わせはハズレとなる。
【００１６】
図２に示すように、貯留タンク６は本体基部２の上部に設けられている。貯留タンク６は升形に形成されている。パチンコ機１は遊技場に設置された島設備に組み込まれている。貯留タンク６内には島設備が有する供給ノズル２５からパチンコ球が供給される。
【００１７】
貯留タンク６の下方には、貯留タンク６から排出されたパチンコ球１６が流下する流下樋２６が設けられている。貯留タンク６の底面６ａの一部にはパチンコ球１６の排出口６ｂが形成されており、底面６ａは排出口６ｂに向けて下り傾斜となっている。このため、貯留タンク６に供給されたパチンコ球１６は排出口６ｂから流下樋２６内に排出される。なお、流下樋２６にパチンコ球が貯留された状態であると供給ノズル２５から供給されたパチンコ球１６は貯留タンク６内に貯留されていく。
【００１８】
貯留タンク６の底面６ａの上流側には図示しない球検出スイッチが設けられている。そして、貯留タンク６に貯留されたパチンコ球１６が減少して球検出スイッチがオフになると貯留タンク６内へパチンコ球１６が供給され、貯留されたパチンコ球１６が球検出スイッチをオンにすると供給ノズル２５から一定量のパチンコ球１６の供給が停止される。
【００１９】
図３に示すように、流下樋２６はパチンコ球１６の流下方向に沿った２条の通路２６ａ，２６ｂを備えている。流下樋２６の下方には球通路３０，３１が設けられている。流下樋２６の通路２６ａは球通路３０の入口に連通しており、流下樋２６の通路２６ｂは球通路３１の入口に連通している。球通路３０の下流側には賞球払い出し装置３２が設けられており、球通路３０を流下するパチンコ球１６は賞球払い出し装置３２に供給される。賞球払い出し装置３２が作動されると、賞球払い出し装置３２に供給されたパチンコ球１６が賞球として払い出し口１５から受け皿１７に払い出される。他方、球通路３１の下流側には球発射装置３３にパチンコ球１６を流下させる発射球供給装置３４が設けられている。発射球供給装置３４が作動されるとパチンコ球１６が１個ずつ球発射装置３３に供給される。球発射装置３３が作動されると、球発射装置３３に供給されたパチンコ球１６が１個ずつ遊技盤９の遊技領域９ａに発射される。
【００２０】
受け皿１７の球通路１９から回収されたパチンコ球１６は１個ずつ球送り装置３５に供給される。球送り装置３５が作動されると、球送り装置３５のパチンコ球１６は受け皿１７の裏面側に設けられた回収樋３６に送出される。回収樋３６に送出されたパチンコ球１６は島設備に向けて流下する。なお、球送り装置３５と回収樋３６とは請求項中の「回収装置」を構成する。
【００２１】
賞球払い出し装置３２、球発射装置３３、発射球供給装置３４、球送り装置３５は、本体基部２の裏面に取り付けられた制御基板（図示せず）が有するＣＰＵ（供給制御手段）３７によってそれぞれの作動が制御される。ＣＰＵ３７は、発射ハンドル１８が回動されたときに入力される操作信号に応答して球発射装置３３及び球送り装置３５を作動させ、始動口１１や通常口１２で入賞が発生したときに入力される入賞信号に応答して賞球払い出し装置３２を作動させる。
【００２２】
受け皿１７から球送り装置３５に供給されたパチンコ球１６は発射ハンドル１８が操作されると球検知センサ（回収球検知手段）３８によって検知される。球検知センサ３８でパチンコ球１６が検知されると、パチンコ球１６の検知信号がＣＰＵ３７に入力される。これに応答してＣＰＵ３７は発射球供給装置３４を作動させる。
【００２３】
次に、パチンコ機１でパチンコ球１６を発射させる際の処理の流れについて説明する。図４に示すように、受け皿１７で貯留されているパチンコ球１６は球通路１９から回収され、球通路１９のパチンコ球１６は球送り装置３５に案内される。遊技者が発射ハンドル１８を回動するとＣＰＵ３７は球送り装置３５を作動させる。球送り装置３５のパチンコ球１６は１個ずつ回収樋３６に送出される。回収樋３６に送出されたパチンコ球１６は島設備へ送られる。島設備は送出されたパチンコ球１６を清掃して遊技場内を循環させた後、再び供給ノズル２５から貯留タンク６に供給する。また、球送り装置３５に供給されたパチンコ球１６が球検知センサ３８によって検知されると、ＣＰＵ３７は球検知センサ３８からの検知信号に応答して発射球供給装置３４を作動させる。発射球供給装置３４は球発射装置３３にパチンコ球を１個ずつ供給する。球発射装置３３は供給されたパチンコ球１６を１個ずつ遊技盤９の遊技領域９ａに発射する。この動作によって回収樋３６で回収された個数と同一個数のパチンコ球が球発射装置３３によって発射される。
【００２４】
上記実施形態では、球検知センサ３８で球送り装置３５に供給されたパチンコ球１６を検知させたが、例えば発光素子５０ａと受光素子５０ｂとを有するフォトセンサ５０で球送り装置３５から回収樋３６に送出されたパチンコ球１６を検知させてもよい。この場合の例について図５を用いてパチンコ機１でパチンコ球１６を発射させる際の処理の流れを説明するが、図４と同一の部分は説明を省略する。
【００２５】
図５に示すように、遊技者が発射ハンドル１８を回動するとＣＰＵ３７は球送り装置３５を作動させる。球送り装置３５のパチンコ球１６は回収樋３６に１個ずつ送出される。回収樋３６に送出されたパチンコ球１６はフォトセンサ（回収球検知手段）５０によって１個ずつ検知される。回収樋３６に送出されたパチンコ球１６は島設備へ送られる。島設備は送出されたパチンコ球１６を清掃して遊技場内を循環させた後、再び供給ノズル２５から貯留タンク６に供給される。また、回収樋３６に送出されたパチンコ球１６が球検知センサ３８によって検知されると、ＣＰＵ３７は球検知センサ３８からの検知信号に応答して発射球供給装置３４を作動させる。発射球供給装置３４は球発射装置３３にパチンコ球を１個ずつ供給する。球発射装置３３は供給されたパチンコ球１６を１個ずつ遊技盤９の遊技領域９ａに発射する。この動作によって回収樋３６で回収された個数と同一個数のパチンコ球が球発射装置３３によって発射される。
【００２６】
上記実施形態では、回収樋３６に送出されたパチンコ球１６を島設備に送ったが、回収樋３６のパチンコ球１６を島設備に送らずに貯留タンク６に送ってもよい。この場合、貯留タンク６に送る前にパチンコ球１６を清掃することが好ましい。
【図面の簡単な説明】
【００２７】
【図１】パチンコ機の外観斜視図である。
【図２】パチンコ機の背面側に配設された貯留タンク周りの斜視図である。
【図３】パチンコ機の縦断面図である。
【図４】球送り装置に供給されたパチンコ球を検知してパチンコ球を発射させる際の処理の流れを示すフローチャートである。
【図５】回収樋に送出されたパチンコ球を検知してパチンコ球を発射させる際の処理の流れを示すフローチャートである。
【符号の説明】
【００２８】
１  パチンコ機（弾球遊技機）
６  貯留タンク
９  遊技盤
１６  パチンコ球（遊技球）
１７  受け皿
１８  発射ハンドル
３３  球発射装置
３４  発射球供給装置
３５  球送り装置
３６  回収樋
３７  ＣＰＵ（供給制御手段）
３８  球検知センサ（回収球検知手段）
５０  フォトセンサ（回収球検知手段）
【図１】
2007202970.tif 000003
【図２】
2007202970.tif 000004
【図３】
2007202970.tif 000005
【図４】
2007202970.tif 000006
【図５】
2007202970.tif 000007